(57)【要約】【解決手段】ケース５１の底７２に水の流れを許容するケース側通水孔６７・・・を設けるとともにケース５１にマグネット５２・・・，５３・・・を一定の方向を向けて配列し、これらのマグネット５２・・・，５３・・・の上部に濾過材５４を充填するようにケース５１に濾過材５４を収納し、水の流れを許容する蓋体側通水孔８３・・・を備えた蓋体５５をケース５１に被せることで濾過材カートリッジ５０を形成し、後述するように、濾過材カートリッジ５０を複数個用意し、これらの濾過材カートリッジ５０を水の流れに沿わせて容器２２に段積み状態に収納する。【効果】濾過材カートリッジを複数個用意し、これらの濾過材カートリッジを水の流れに沿わせて容器に段積み状態に収納することで、例えば、濾過材カートリッジの組合わせの個数で、浄水能力の異なる浄水器を実現することができる。この結果、浄水器の種類の多様化を容易に図ることができる。【選択図】        図３
2004243208.tif 000002
【特許請求の範囲】
【請求項１】
ケースの底に水の流れを許容するケース側通水孔を設けるとともにケースにマグネットを一定の方向を向けて配列し、これらのマグネットの上部に濾過材を充填するようにケースに濾過材を収納し、水の流れを許容する蓋体側通水孔を備えた蓋体を前記ケースに被せることで濾過材カートリッジを形成し、この濾過材カートリッジを複数個用意し、これらの濾過材カートリッジを水の流れに沿わせて容器に段積み状態に収納したことを特徴とする浄水器。
【請求項２】
前記ケースに嵌合突起を設け、この嵌合突起に嵌合させる嵌合凹部を前記蓋体に設けることで、前記ケースに前記蓋体を所定の位相で嵌合させ、
前記蓋体の上面に凸部を設け、前記ケースに前記蓋体を嵌合させた状態で前記凸部に対向する位置に且つ前記ケースの下面に、前記凸部に位置合わせする凹部を設け、隣り合う前記濾過材カートリッジ同士の向きを１８０゜変えつつ段積みしたことを特徴とする請求項１記載の浄水器。
【請求項３】
前記凸部に、前記濾過材カートリッジ同士に所定の間隔を保持する高さ調整部を設けたことを特徴とする請求項２記載の浄水器。
【発明の詳細な説明】
【０００１】
【発明の属する技術分野】
本発明は、水を浄化するとともに活性化する浄水器に関する。
【０００２】
【従来の技術】
水を浄化するとともに活性化するために、容器内に濾過材を充填するとともにマグネットを一定の方向を向けて配列した浄水器が知られている（例えば、特許文献１参照。）。
【０００３】
【特許文献１】
特許第３２２４９９８号公報（第５頁、図１）
【０００４】
同公報の図１を再掲し上記技術を説明する。ただし、同公報に記載の符号を新しく振り直すとともに記載の名称も一部変更した。
図１１は特許第３２２４９９８号公報の図１の再掲図である。
特許文献１の浄水器１２０は、上部に給水口１２１を形成するとともに下部に吐水口１２２を形成した容器１２３と、水を浄化する第１・第２の濾過材１２４，１２５と、これらの第１・第２の濾過材１２４，１２５を仕切るために通孔（不図示）を備えた樹脂トレイ１２７と、マグネットホルダ１２８にマグネット１２９を配列することで水を活性化させるマグネットホルダセット１３１と、を主要構成部品とする浄水器であり、容器１２３に第１・第２の濾過材１２４，１２５を直接充填したもと言える。
【０００５】
【発明が解決しようとする課題】
すなわち、特許文献１では、浄水器１２０を組立てるときに、第１・第２の濾過材１２４，１２５の充填量を計量して用意する必要がある。浄水器１２０の組立ラインの中に、第１・第２の濾過材１２４，１２５を計量する計量作業が混在すると、浄水器１２０の組立ラインが繁雑になることがあり、組立の作業性の低下を招く。
また、浄水器１２０のメンテナンス時には、第１・第２の濾過材１２４，１２５の再度の計量が必要になるため、据付け現場でのメンテナンス作業が困難となることもある。
【０００６】
そこで、本発明の目的は、浄水器の組立が容易にできるとともにメンテナンス作業のしやすい浄水器を提供することにある。
【０００７】
【課題を解決するための手段】
上記目的を達成するために請求項１の浄水器は、ケースの底に水の流れを許容するケース側通水孔を設けるとともにケースにマグネットを一定の方向を向けて配列し、これらのマグネットの上部に濾過材を充填するようにケースに濾過材を収納し、水の流れを許容する蓋体側通水孔を備えた蓋体をケースに被せることで濾過材カートリッジを形成し、この濾過材カートリッジを複数個用意し、これらの濾過材カートリッジを水の流れに沿わせて容器に段積み状態に収納したことを特徴とする。
【０００８】
ケースの底に水の流れを許容するケース側通水孔を設けるとともにケースにマグネットを一定の方向を向けて配列し、これらのマグネットの上部に濾過材を充填するようにケースに濾過材を収納し、水の流れを許容する蓋体側通水孔を備えた蓋体をケースに被せ、濾過材カートリッジを形成することで、濾過材カートリッジを複数個大量に生産してストックしておくことができる。この結果、浄水器のコストの低減を図ることができる。
そして、マグネットや濾過材を容易に扱うことができる。この結果、浄水器の生産性の向上を図ることができる。
【０００９】
請求項２は、ケースに嵌合突起を設け、この嵌合突起に嵌合させる嵌合凹部を蓋体に設けることで、ケースに蓋体を所定の位相で嵌合させ、蓋体の上面に凸部を設け、ケースに蓋体を嵌合させた状態で凸部に対向する位置に且つケースの下面に、凸部に位置合わせする凹部を設け、隣り合う濾過材カートリッジ同士の向きを１８０゜変えつつ段積みしたことを特徴とする。
【００１０】
ケースに嵌合突起を設け、この嵌合突起に嵌合させる嵌合凹部を蓋体に設けることで、ケースに前記蓋体を所定の位相で嵌合させ、蓋体の上面に凸部を設け、ケースに蓋体を嵌合させた状態で凸部に対向する位置に且つケースの下面に凸部に位置合わせする凹部を設け、隣り合う前記濾過材カートリッジ同士の向きを１８０゜変えつつ段積みすることで、一段毎に磁界の方向を変えることができる。この結果、水の磁気化（活性化）効率の向上を図ることができる。
【００１１】
請求項３は、凸部に、濾過材カートリッジ同士に所定の間隔を保持する高さ調整部を設けたことを特徴とする。
凸部に、濾過材カートリッジ同士に所定の間隔を保持する高さ調整部を設けることで、濾過材カートリッジを所定の間隔を空けて配置することができる。この結果、濾過材カートリッジ間に水を貯留させることができ、水を十分に浄化及び活性化をすることができる。
【００１２】
【発明の実施の形態】
本発明の実施の形態を添付図に基づいて以下に説明する。なお、図面は符号の向きに見るものとする。
図１は本発明に係る浄水器の接続状態を示す斜視図であり、浄水器１０は、水栓１１にプレフィルタ付き切換えコック１２を取付け、この切換えコック１２に給水ホース１３を介して給水口１４を接続し、切換えコック１２に吐水ホース１５を介して吐水口１６を接続するものであって、切換えコック１２から給水ホース１３を経由させて水道水などの原水を浄水器１０に注入し、この浄水器１０で浄化した浄水を吐水ホース１５を経由させて切換えコック１２に戻し、この切換えコック１２から浄水を吐水させる。
【００１３】
切換えコック１２は、水道水など原水を浄水器１０に注入するモードと、原水を直接的に吐水させるモードとの切換えの役目をなすとともに、プレフィルタ付き切換えコック１２のプレフィルタ１７は、水道水などの原水に含まれるやや大きめの水あかや赤さびなどを事前に取り去る役目をなす。
本発明に係る浄水器１０は、後述するように、濾過材及びマグネットを収納した濾過材カートリッジ５０を水の流れに沿わせて容器に段積み状態に収納することで、生産性の向上を図った浄水器である。
【００１４】
図２は図１の２−２線断面図であり、浄水器１０の正面断面を示す。ただし、吐水口１６の向きを１８０゜変えて図示した。
浄水器１０は、基部となる容器台２１と、この容器台２１に取付ける容器２２と、この容器２２を容器台２１に固定するための取付けリング２３と、容器２２に段積み状態に収納する複数の濾過材カートリッジ５０・・・（・・・は複数個を示す。以下同じ）と、これらの濾過材カートリッジ５０・・・に貫通させるセンタパイプ２５と、このセンタパイプ２５の上部に取付けた上部支持部材２６と、容器２２及び容器台２１の上部を覆う筒状カバー２７と、からなる。
【００１５】
容器台２１は、給水口１４及び吐水口１６を突出させるための容器台本体３４と、この容器台本体３４に取付ける容器蓋体３６と、からなる。
容器台本体３４は、給水口１４及び吐水口１６を形成した給水・吐水口部材３３と、容器蓋体３６に取付けるアウタ部材３５と、を備える。
容器蓋体３６は、インナ部材３７を貫通させ原水を容器内に導く導水孔３９・・・を形成し、アウタ部材３５に係合させるとともにセンタパイプ２５を支持するインナ部材３７を付設したものである。
容器２２は、ステンレス若しくは樹脂材料で形成することが好ましい。
【００１６】
４１，４２はインナ部材３７にセットすることで、インナ部材３７と給水・吐水口部材３３とをシールするＯリング、４３は容器蓋体３６にセットすることで、容器蓋体３６とインナ部材３７との間をシールするＯリング、４４は容器蓋体３６にセットすることで、容器蓋体３６と容器２１との間をシールするＯリング、４５は給水・吐水口部材３３をアウタ部材３５に取付ける取付けねじ、４６はインナ部材３７を容器蓋体３６に取付ける取付けねじ、４７は給水ホース１３（図１参照）を給水口１４に取付ける給水口用リング、４８は吐水ホース１５（図１参照）を吐水口１６に取付ける吐水口用リングである。
【００１７】
すなわち、浄水器１０は、容器蓋体３６に複数の濾過材カートリッジ５０・・・を段積みし、これらの濾過材カートリッジ５０・・・にセンタパイプ２５を貫通させ、これらの濾過材カートリッジ５０・・・及びセンタパイプ２５を容器２２で覆い、この容器２２を取付けリング２３で容器蓋体３６に取付け、濾過材カートリッジ５０・・・、容器２２、センタパイプ２５を取付けリング２３で一体的に組付け済みの容器蓋体３６を容器台本体３４にねじ込み、これらの容器２２、取付けリング２３、容器蓋体３６及び容器台本体３４を一括して筒状カバー２７で覆うように組立てるものである。
【００１８】
図３は本発明に係る浄水器の濾過材カートリッジの分解斜視図である。
濾過材カートリッジ５０は、ケース５１と、このケース５１に収納する大型のマグネット５２・・・及び小型のマグネット５３・・・と、ケース５１に充填する濾過材５４と、ケース５１に被せる蓋体５５と、ケース５１に取付けることで容器との間をシールするＯリング５６と、からなる。
【００１９】
ケース５１は、蓋体５５を所定の位置に係止する嵌合突起としての大係止爪６１と、蓋体５５を係止する嵌合突起としての小係止爪６２と、Ｏリング５６を嵌め込む溝６３と、大型のマグネット５２・・・を収納する大収納部６５・・・と、小型のマグネット５３・・・を収納する小収納部６６・・・と、通水するために設けたケース側通水孔６７・・・（図５参照）と、センタパイプ２５（図２参照）に貫通させる貫通筒部６８と、段積みするときに蓋体５５に嵌合させる外側リング６９と、段積みするときに上下の濾過材カートリッジ５０，５０同士の向きを決めるために下面７４に形成した凹部７１，７１と、からなる。なお、７５は大型のマグネット５２を大収納部６５に止める爪部、７６は小型のマグネット５３を小収納部６６に止める爪部である。
【００２０】
マグネット５２は、Ｎ極側を表示する面取り部７８を備え、マグネット５３は、Ｎ極側を表示する面取り部７９を備える。
蓋体５５は、ケース５１の大係止爪６１に係止する嵌合凹部としての大係止孔８１と、ケース５１の小係止爪６２に係止する嵌合凹部としての小係止孔８２・・・と、通水するために設けた蓋側通水孔８３・・・と、センタパイプ２５に貫通させる貫通孔８４と、段積みするときにケース５１の外側リング６９に嵌合させる内側リング８６と、段積みするときにケース５１の凹部７１，７１に嵌合させるために上面８８に形成した凸部８７，８７と、からなる。なお、７３はケース５１の側面を示す。
【００２１】
浄水器１０（図２参照）は、ケース５１の底７２（図５参照）に水の流れを許容するケース側通水孔６７・・・を設けるとともにケース５１にマグネット５２・・・，５３・・・を一定の方向を向けて配列し、これらのマグネット５２・・・，５３・・・の上部に濾過材５４を充填するようにケース５１に濾過材５４を収納し、水の流れを許容する蓋体側通水孔８３・・・を備えた蓋体５５をケース５１に被せることで濾過材カートリッジ５０を形成し、後述するように、濾過材カートリッジ５０を複数個用意し、これらの濾過材カートリッジ５０を水の流れに沿わせて容器２２（図２参照）に段積み状態に収納するものである。
【００２２】
図４は本発明に係る浄水器の蓋体の平面図であり、図５は本発明に係る浄水器のケースの平面図である。
図４において、大係止孔８１の中心と貫通孔８４の中心を結ぶ直線に直交するとともに貫通孔８４の中心を通る直線を蓋体５５のセンタラインＣ１とするとともに、図５において、大係止爪６１の中心と貫通筒部６８の中心を結ぶ直線に直交するとともに貫通筒部６８の中心を通る直線をケース５１のセンタラインＣ２とするときに、センタラインＣ１，Ｃ２は、ケース５１に蓋体５５を嵌合させたときには、同一にセンタラインを構成するものである。
【００２３】
図４において、蓋体５５の二つの凸部８７，８７のセンタラインＣ１からの距離をＡ、二つの凸部８７，８７同士の幅をＢ、凸部８７の直径をｄとするときに、凸部８７，８７を、センタラインＣ１から距離Ａ、凸部８７，８７同士の幅Ｂ、凸部８７の直径ｄでセンタラインＣ１の図面左方に設定したことを示す。
図５において、ケース５１の二つの凹部７１，７１のセンタラインＣ２からの距離をＡ、二つの凹部７１，７１同士の幅をＢ、凹部７１の直径を略ｄ（ｄよりも若干大きい寸法）とするときに、凹部７１，７１を、センタラインＣ２から距離Ａ、凹部７１，７１同士の幅Ｂ、凹部７１の直径ｄ（略ｄ）でセンタラインＣ２の図面右方に設定することを示す。
【００２４】
図４において、蓋体５５の内側リング８６の外径をＤ、図５において、ケース５１の外側リング６９の内径を略Ｄ（Ｄよりも若干大きい寸法）とするときに、内側リング８６を外径Ｄに設定し、外側リング６９を外径Ｄ（略Ｄ）に設定したことを示す。
【００２５】
以上に述べた浄水器の作用を次に説明する。
図６（ａ）〜（ｃ）は本発明に係る浄水器の作用説明図（その１）である。
（ａ）において、ケース５１、マグネット５２・・・（図３に示すマグネット５３・・・を含む）、濾過材５４、蓋体５５、Ｏリング５６を用意する。
マグネット５２・・・の極性を一方の方向に向け、マグネット５２・・・を大収納部６５・・・に矢印▲１▼・・・の如く収納し、Ｏリング５６を矢印▲２▼，▲２▼の如く嵌め込む。
なお、白抜き矢印は、マグネット５２のＮ極からＳ極に向かう磁力線の方向を示す。
（ｂ）において、ケース５１に濾過材５４を矢印▲３▼の如く充填する。
（ｃ）において、ケース５１に蓋体５５を矢印▲４▼，▲４▼の如く被せる。
【００２６】
図７（ａ）〜（ｃ）は本発明に係る浄水器の作用説明図（その２）である。
（ａ）において、完成させた濾過材カートリッジ５０を示す。
すなわち、ケース５１の底７２に水の流れを許容するケース側通水孔６７・・・（図５参照）を設けるとともにケース５１にマグネット５２・・・を一定の方向を向けて配列し、これらのマグネット５２・・・の上部に濾過材５４を充填するようにケース５１に濾過材５４を収納し、水の流れを許容する蓋体側通水孔８３・・・（図３参照）を備えた蓋体５５をケース５１に被せ、濾過材カートリッジ５０を形成することで、濾過材カートリッジ５０を複数個大量に生産してストックしておくことができる。この結果、浄水器１０（図２参照）のコストの低減を図ることができる。
そして、マグネット５２・・・や濾過材５４を容易に扱うことができる。この結果、浄水器１０の生産性の向上を図ることができる。
【００２７】
（ｂ）において、濾過材カートリッジ５０を複数個用意する。
すなわち、濾過材カートリッジ５０を複数個用意し、これらの濾過材カートリッジ５０を水の流れに沿わせて容器２２（図２参照）に段積み状態に収納することで、例えば、濾過材カートリッジ５０の組合わせの個数で、浄水能力の異なる浄水器を実現することができる。この結果、浄水器の種類の多様化を容易に図ることができる。
【００２８】
（ｃ）において、蓋体５５の凸部８７にケース５１の凹部７１を合わせつつ複数の濾過材カートリッジ５０・・・を段積みする。
浄水器１０（図２参照）は、図３に示すように、ケース５１に大・小係止爪（嵌合突起）６１，６２を設け、これらの大・小係止爪（嵌合突起）６１，６２に嵌合させる大・小係合孔（嵌合凹部）８１，８２を蓋体５５に設けることで、ケース５１に蓋体５５を所定の位相で嵌合させ、蓋体５５の上面８８に凸部８７を設け、ケース５１に蓋体５５を嵌合させた状態で凸部８７に対向する位置に且つケース５１の下面７４に凸部８７に位置合わせする凹部７１を設け、隣り合う濾過材カートリッジ５０，５０同士の向きを１８０゜変えつつ段積みしたことを示す。
【００２９】
すなわち、図３に示すように、ケース５１に大・小係止爪（嵌合突起）６１，６２を設け、これらの大・小係止爪（嵌合突起）６１，６２に嵌合させる大・小係合孔（嵌合凹部）８１，８２を蓋体５５に設けることで、ケース５１に蓋体５５を所定の位相で嵌合させ、蓋体５５の上面８８に凸部８７を設け、ケース５１に蓋体５５を嵌合させた状態で凸部８７に対向する位置に且つケース５１の下面７４に凸部８７に位置合わせする凹部７１を設け、隣り合う濾過材カートリッジ５０，５０同士の向きを１８０゜変えつつ段積みした。従って、一段毎に磁界の方向を変えることができる。この結果、水の磁気化（活性化）効率の向上を図ることができる。
【００３０】
図８は本発明に係る浄水器の原水及び浄水の流れを示す説明図であり、浄水器１０は、給水口１４から入水させた原水を、容器２２の下方から上方に向かって濾過材カートリッジ５０・・・を通過させることで、原水の浄化を進めるとともに原水の磁気化を進め、さらにセンタパイプ２５中を上部から下部に向けて流すことでさらなる水の磁気化を進め、浄水を吐水口１６から浄水を吐水させるものであり、ケース５１の底７２に水の流れを許容するケース側通水孔６７・・・（図５参照）を設けるとともにケース５１にマグネット５２・・・を一定の方向を向けて配列し、これらのマグネット５２・・・の上部に濾過材５４を充填するようにケース５１に濾過材５４を収納し、水の流れを許容する蓋体側通水孔８３・・・（図３参照）を備えた蓋体５５をケース５１に被せ、濾過材カートリッジ５０を形成することで、マグネット５２・・・や濾過材５４を容易に扱うことができ、メンテナンスのしやすい浄水器であると言える。
【００３１】
図９は本発明に係る浄水器の別実施例の濾過材カートリッジの分解斜視図であり、濾過材カートリッジ５０（図３参照）に使用した部品と同一部品は同一符号を用い詳細な説明は省略する。
濾過材カートリッジ９０は、ケース５１、大型のマグネット５２、小型のマグネット５３、濾過材５４、Ｏリング５６及び蓋体９５とからなり、蓋体９５を、大係止部８１と、小係止部８２・・・と、蓋側通水孔８３・・・と、貫通孔８４と、段積みするときにケース５１の凹部７１，７１に嵌合させる凸部９７と、段積みするときにケース５１に所定の間隔を保持するスペーサ９８と、から構成したものである。
凸部９７は、濾過材カートリッジ９０を段済みしたときに、所定の間隔を保持するための高さ調整部９９を備える。
【００３２】
図１０は本発明に係る浄水器の別実施例の濾過材カートリッジの作用説明図であり、濾過材カートリッジ９０・・・を段積みにしたときに、上下に隣り合う濾過材カートリッジ９０，９０同士に所定の間隔Ｈを確保できることを示す。
すなわち、濾過材カートリッジ９０は、凸部９７に、濾過材カートリッジ９０同士に所定の間隔を保持する高さ調整部９９を設けたものと言える。
凸部９７に、濾過材カートリッジ９０，９０同士に所定の間隔Ｈを保持する高さ調整部９９を設けることで、濾過材カートリッジ９０，９０を所定の間隔を空けて配置することができる。この結果、濾過材カートリッジ９０，９０間に水を貯留させることができ、水を十分に浄化及び活性化をすることができる。
【００３３】
尚、実施の形態では図３に示すように、ケース５１に二つの凹部７１，７１を設けるとともに蓋体５５に二つの凸部８７，８７を設け、ケース５１に一つの外側リング６９を設けるとともに蓋体５５に一つの内側リング８６を設けたが、これに限るものではなく、ケースに一つの凹部を設けるとともに蓋体に一つの凸部を設け、ケースに一つの外側リングを設けるとともに蓋体に一つの内側リングを設けたものでもよく、又ケースに二つの凹部を設けるとともに蓋体に二つの凸部を設けただけのものであってもよい。
【００３４】
実施の形態では図３に示すように、ケース５１に凹部７１，７１を設け、蓋体５５に凸部８７，８７を設けたが、これに限るものではなく、蓋体に凹部を設け、ケースに凸部を設けたものであってもよい。
【００３５】
実施の形態では図３に示すように、ケース５１に大・小係止爪（嵌合突起）６１，６２を設け、蓋体５５に大・小係合孔（嵌合凹部）８１，８２を設けたが、これに限るものではなく、蓋体に嵌合突起を設け、ケースに嵌合凹部を設けたものであってもよい。
【００３６】
【発明の効果】
本発明は上記構成により次の効果を発揮する。
請求項１では、ケースの底に水の流れを許容するケース側通水孔を設けるとともにケースにマグネットを一定の方向を向けて配列し、これらのマグネットの上部に濾過材を充填するようにケースに濾過材を収納し、水の流れを許容する蓋体側通水孔を備えた蓋体をケースに被せ、濾過材カートリッジを形成することで、濾過材カートリッジを複数個大量に生産してストックしておくことができる。この結果、浄水器のコストの低減を図ることができる。そして、マグネットや濾過材を容易に扱うことができる。この結果、浄水器の生産性の向上を図ることができる。
【００３７】
請求項２では、ケースに嵌合突起を設け、この嵌合突起に嵌合させる嵌合凹部を蓋体に設けることで、ケースに蓋体を所定の位相で嵌合させ、蓋体の上面に凸部を設け、ケースに蓋体を嵌合させた状態で凸部に対向する位置に且つケースの下面に、凸部に位置合わせする凹部を設け、隣り合う濾過材カートリッジ同士の向きを１８０゜変えつつ段積みしたた。従って、一段毎に磁界の方向を変えることができる。この結果、水の磁気化（活性化）効率の向上を図ることができる。
【００３８】
請求項３は、凸部に、濾過材カートリッジ同士に所定の間隔を保持する高さ調整部を設けたので、濾過材カートリッジを所定の間隔を空けて配置することができる。この結果、濾過材カートリッジ間に水を貯留させることができ、水を十分に浄化及び活性化をすることができる。
【図面の簡単な説明】
【図１】本発明に係る浄水器の接続状態を示す斜視図
【図２】図１の２−２線断面図
【図３】本発明に係る浄水器の濾過材カートリッジの分解斜視図
【図４】本発明に係る浄水器の蓋体の平面図
【図５】本発明に係る浄水器のケースの平面図
【図６】本発明に係る浄水器の作用説明図（その１）
【図７】本発明に係る浄水器の作用説明図（その２）
【図８】本発明に係る浄水器の原水及び浄水の流れを示す説明図
【図９】本発明に係る浄水器の別実施例の濾過材カートリッジの分解斜視図
【図１０】本発明に係る浄水器の別実施例の濾過材カートリッジの作用説明図
【図１１】特許第３２２４９９８号公報の図１の再掲図
【符号の説明】
１０…浄水器、２２…容器、５０…濾過材カートリッジ、５１…ケース、５２，５３…マグネット、５４…濾過材、５５…蓋体、６１，６２…嵌合突起（大・小係止爪、６７…ケース側通水孔、７１…凹部、７２…底、７４…下面、８１，８２…嵌合凹部（大・小係止孔）、８３…蓋側通水孔、８７…凸部、８８…上面、９０…濾過材カートリッジ、９７…凸部、９９…高さ調整部。
【図１】
2004243208.tif 000003
【図２】
2004243208.tif 000004
【図３】
2004243208.tif 000005
【図４】
2004243208.tif 000006
【図５】
2004243208.tif 000007
【図６】
2004243208.tif 000008
【図７】
2004243208.tif 000009
【図８】
2004243208.tif 000010
【図９】
2004243208.tif 000011
【図１０】
2004243208.tif 000012
【図１１】
2004243208.tif 000013